(57)【要約】【課題】年齢に対応した敬称を名前に付加して出力することができる情報出力装置、情報出力方法及びその制御プログラムを提供することを目的とする。【解決手段】名前、生年月日及び性別等の情報が記憶されているメモリから名前を読み出して出力する。メモリに記憶された生年月日情報と現在の日時情報から年齢を算出し（Ｓ４）、算出した年齢が７歳未満であれば、名前情報に「ちゃん」の敬称情報を付加し（Ｓ６）、算出した年齢が１３歳未満であり、かつ男性の場合には、名前情報に「君」の敬称情報を付加し（Ｓ９）、また、年齢が１３歳未満で、かつ女性の場合には、名前情報に「さん」の敬称情報を付加し（Ｓ１０）、年齢が１３歳未満ではない場合には、名前情報に「様」の敬称情報を付加して（Ｓ１１）、夫々出力する。【選択図】      図３
2009237679.tif 000002
【特許請求の範囲】
【請求項１】
個人の名前情報及び当該個人の生年月日情報を含む情報を記憶するメモリと、
現在の日時情報を取得する日時情報取得手段と、
前記メモリに記憶された個人の情報を出力する際に、当該個人の生年月日情報と、前記日時情報取得手段により取得される現在の日時情報に基づいて当該個人の年齢を算出する年齢算出手段と、
前記年齢算出手段によって算出された年齢に応じて定められた敬称情報を当該個人の名前情報に付加して出力する出力手段と、
を備えることを特徴とする情報出力装置。
【請求項２】
個人の名前情報、当該個人の生年月日情報及び当該個人の性別情報を含む情報を記憶するメモリと、
現在の日時情報を取得する日時情報取得手段と、
前記メモリに記憶された個人の情報を出力する際に、当該個人の生年月日情報と、前記日時情報取得手段により取得される現在の日時情報に基づいて当該個人の年齢を算出する年齢算出手段と、
前記年齢算出手段によって算出された年齢及び前記メモリに記憶されている性別情報に応じて定められた敬称情報を当該個人の名前情報に付加して出力する出力手段と、
を備えることを特徴とする情報出力装置。
【請求項３】
更に、前記年齢算出手段によって算出された年齢が所定の年齢以上であるか否かを判断する年齢判断手段を備え、
前記出力手段は、前記年齢判断手段により前記年齢算出手段によって算出された年齢が所定の年齢以上であることが判断された場合、出力する情報の文字サイズを、前記年齢判断手段により所定の年齢以上ではないと判断された場合に比べて、大きなサイズに設定することを特徴とする請求項１又は２記載の情報出力装置。
【請求項４】
前記メモリには、更に個人の情報として当該個人の住所情報及び郵便番号情報を記憶しており、
前記出力手段は、所定の宛名印刷のフォーマットに従って、前記敬称情報を付加した名前情報とともに、前記メモリに記憶されている郵便番号情報及び住所情報を所定の記録紙に印刷することを特徴とする請求項１ないし３記載の個人情報出力装置。
【請求項５】
個人の名前情報及び当該個人の生年月日情報を含む情報を記憶するメモリから情報を出力する情報出力方法であって、
現在の日時情報を取得するステップと、
前記メモリに記憶された個人の情報を出力する際に、当該個人の生年月日情報と、前記日時情報取得手段により取得される現在の日時情報に基づいて当該個人の年齢を算出するステップと、
前記年齢算出手段によって算出された年齢に応じて定められた敬称情報を当該個人の名前情報に付加して出力するステップと、
を備えることを特徴とする情報出力方法。
【請求項６】
個人の名前情報、当該個人の生年月日情報及び当該個人の性別情報を含む情報を記憶するメモリから情報を出力する情報出力方法であって、
現在の日時情報を取得するステップと、
前記メモリに記憶された個人の情報を出力する際に、当該個人の生年月日情報と、前記日時情報取得手段により取得される現在の日時情報に基づいて当該個人の年齢を算出するステップと、
前記年齢算出手段によって算出された年齢及び前記メモリに記憶されている性別情報に応じて定められた敬称情報を当該個人の名前情報に付加して出力するステップと、
を備えることを特徴とする情報出力方法。
【請求項７】
個人の名前情報、当該個人の生年月日情報及び当該個人の性別情報を含む情報を記憶するメモリを備えた情報出力装置のコンピュータを制御するための制御プログラムであって、
前記コンピュータを、
現在の日時情報を取得する日時情報取得手段と、
前記メモリに記憶された個人の情報を出力する際に、当該個人の生年月日情報と、前記日時情報取得手段により取得される現在の日時情報に基づいて当該個人の年齢を算出する年齢算出手段と、
前記年齢算出手段によって算出された年齢に応じて定められた敬称情報を当該個人の名前情報に付加して出力する出力手段と、
として機能させるようにしたコンピュータ読み込み可能な制御プログラム。
【請求項８】
個人の名前情報、当該個人の生年月日情報及び当該個人の性別情報を含む情報を記憶するメモリを備えた情報出力装置のコンピュータを制御するための制御プログラムであって、
前記コンピュータを、
現在の日時情報を取得する日時情報取得手段と、
前記メモリに記憶された個人の情報を出力する際に、当該個人の生年月日情報と、前記日時情報取得手段により取得される現在の日時情報に基づいて当該個人の年齢を算出する年齢算出手段と、
前記年齢算出手段によって算出された年齢及び前記メモリに記憶されている性別情報に応じて定められた敬称情報を当該個人の名前情報に付加して出力する出力手段、
として機能させるようにしたコンピュータ読み込み可能な制御プログラム。
【発明の詳細な説明】
【技術分野】
【０００１】
本発明は、メモリに記憶された個人情報の名前情報を読み出し、その名前情報に敬称情報を付加して出力する情報出力装置、情報出力方法及び制御プログラムに関する。
【背景技術】
【０００２】
従来、宛名印刷を行う印刷装置において、宛名に敬称を付加することに関する技術が特許文献１に記載されている。この特許文献１に記載される技術は、既に、宛名の名前に敬称が付加されて登録されている場合、そのことを判断して重複して敬称を付加しないようにしたものである。
【特許文献１】特開平１０−１２４４９３号公報
【０００３】
ところで、宛名印刷の場合、名宛人の年齢が様々の場合にその名宛人に応じて名前に付加する敬称を名宛人に応じたものにしたい場合がある。しかしながら、上記印刷装置を含めて従来の技術はそのことに対して特に考慮されていなかった。
【発明の開示】
【発明が解決しようとする課題】
【０００４】
本発明は上記の問題点を解決するものであり、宛名印刷等の場合に、名宛人の年齢、あるいは名宛人の年齢及び性別に対応した敬称を名宛人の名前に付加することができる情報出力装置、情報出力方法及びその制御プログラムを提供することを目的とする。
【課題を解決するための手段】
【０００５】
請求項１の発明は、個人の名前情報及び当該個人の生年月日情報を含む情報を記憶するメモリと、現在の日時情報を取得する日時情報取得手段と、前記メモリに記憶された個人の情報を出力する際に、当該個人の生年月日情報と、前記日時情報取得手段により取得される現在の日時情報に基づいて当該個人の年齢を算出する年齢算出手段と、前記年齢算出手段によって算出された年齢に応じて定められた敬称情報を当該個人の名前情報に付加して出力する出力手段とを備えることを特徴とする。
【０００６】
請求項２の発明は、個人の名前情報、当該個人の生年月日情報及び当該個人の性別情報を含む情報を記憶するメモリと、現在の日時情報を取得する日時情報取得手段と、前記メモリに記憶された個人の情報を出力する際に、当該個人の生年月日情報と、前記日時情報取得手段により取得される現在の日時情報に基づいて当該個人の年齢を算出する年齢算出手段と、前記年齢算出手段によって算出された年齢及び前記メモリに記憶されている性別情報に応じて定められた敬称情報を当該個人の名前情報に付加して出力する出力手段と、を備えることを特徴とする。
【０００７】
請求項３の発明は、更に、前記年齢算出手段によって算出された年齢が所定の年齢以上であるか否かを判断する年齢判断手段を備え、前記出力手段は、前記年齢判断手段により前記年齢算出手段によって算出された年齢が所定の年齢以上であることが判断された場合、出力する情報の文字サイズを、前記年齢判断手段により所定の年齢以上ではないと判断された場合に比べて、大きなサイズに設定することを特徴とする。
【０００８】
請求項４の発明は、前記メモリには、更に個人の情報として当該個人の住所情報及び郵便番号情報を記憶しており、前記出力手段は、所定の宛名印刷のフォーマットに従って、前記敬称情報を付加した名前情報とともに、前記メモリに記憶されている郵便番号情報及び住所情報を所定の記録紙に印刷することを特徴とする。
【０００９】
請求項５の発明は、個人の名前情報及び当該個人の生年月日情報を含む情報を記憶するメモリから情報を出力する情報出力方法であって、現在の日時情報を取得するステップと、前記メモリに記憶された個人の情報を出力する際に、当該個人の生年月日情報と、前記日時情報取得手段により取得される現在の日時情報に基づいて当該個人の年齢を算出するステップと、前記年齢算出手段によって算出された年齢に応じて定められた敬称情報を当該個人の名前情報に付加して出力するステップとを備えることを特徴とする。
【００１０】
請求項６の発明は、個人の名前情報、当該個人の生年月日情報及び当該個人の性別情報を含む情報を記憶するメモリから情報を出力する情報出力方法であって、現在の日時情報を取得するステップと、前記メモリに記憶された個人の情報を出力する際に、当該個人の生年月日情報と、前記日時情報取得手段により取得される現在の日時情報に基づいて当該個人の年齢を算出するステップと、前記年齢算出手段によって算出された年齢及び前記メモリに記憶されている性別情報に応じて定められた敬称情報を当該個人の名前情報に付加して出力するステップとを備えることを特徴とする。
【００１１】
請求項７の発明は、個人の名前情報、当該個人の生年月日情報及び当該個人の性別情報を含む情報を記憶するメモリを備えた情報出力装置のコンピュータを制御するための制御プログラムであって、前記コンピュータを、現在の日時情報を取得する日時情報取得手段と、前記メモリに記憶された個人の情報を出力する際に、当該個人の生年月日情報と、前記日時情報取得手段により取得される現在の日時情報に基づいて当該個人の年齢を算出する年齢算出手段と、前記年齢算出手段によって算出された年齢に応じて定められた敬称情報を当該個人の名前情報に付加して出力する出力手段、として機能させるようにしたコンピュータ読み込み可能な制御プログラムである。
【００１２】
請求項８の発明は、個人の名前情報、当該個人の生年月日情報及び当該個人の性別情報を含む情報を記憶するメモリを備えた情報出力装置のコンピュータを制御するための制御プログラムであって、前記コンピュータを、現在の日時情報を取得する日時情報取得手段と、前記メモリに記憶された個人の情報を出力する際に、当該個人の生年月日情報と、前記日時情報取得手段により取得される現在の日時情報に基づいて当該個人の年齢を算出する年齢算出手段と、前記年齢算出手段によって算出された年齢及び前記メモリに記憶されている性別情報に応じて定められた敬称情報を当該個人の名前情報に付加して出力する出力手段、として機能させるようにしたコンピュータ読み込み可能な制御プログラム。
【発明の効果】
【００１３】
請求項１の発明によれば、個人の名前情報及び当該個人の生年月日情報を含む情報を記憶するメモリ及び現在の日時情報を取得する日時情報取得手段を備え、当該個人の生年月日情報と、日時情報取得手段により取得される現在の日時情報に基づいて当該個人の年齢を算出し、算出された年齢に応じて定められた敬称情報を当該個人の名前情報に付加して出力するため、宛名印刷等の場合に、名宛人の年齢に応じた敬称を名前に付加して出力することができる。
【００１４】
また、請求項２の発明によれば、個人の名前情報、当該個人の生年月日情報及び当該個人の性別情報を含む情報を記憶するメモリ及び現在の日時情報を取得する日時情報取得手段を備え、当該個人の生年月日情報と、前記日時情報取得手段により取得される現在の日時情報に基づいて当該個人の年齢を算出し、算出された年齢及び性別情報に応じて定められた敬称情報を当該個人の名前情報に付加して出力するため、宛名印刷等の場合に、名宛人の年齢及び性別に応じた敬称を名前に付加して出力することができる。
【発明を実施するための最良の形態】
【００１５】
以下、本発明の実施形態について図面を参照して説明する。図１は本発明の実施形態に係る情報出力装置の電子回路のブロック図を示している。この情報出力装置の電子回路には、コンピュータであるＣＰＵからなる制御部１が備えられる。制御部１は、入力部２からのキー操作信号に応じてＲＯＭ５に予め記憶されているシステムプログラム、あるいはメモリカード，ＣＤ−ＲＯＭなどの外部記憶媒体１０からその記憶媒体読み取り部１１を介して内部メモリに読み込まれた装置制御プログラム、あるいは外部通信ネットワークＮ上のＷｅｂサーバ１２から通信制御部１３を介して内部メモリに読み込まれた装置制御プログラムを起動させ、ＲＡＭ６をワークメモリとして回路各部の動作を制御する。この制御部１には、入力部２、表示部３、プリンタ部４、ＲＯＭ５、ＲＡＭ６が接続される。また、制御部１には、入力部２から入力された個人の住所録などの個人情報を登録して記憶保存する個人情報メモリ７、個人情報メモリ７に記憶されている個人情報を用いて宛名印刷を行うための宛名印刷のフォーマット情報を記憶している宛名フォーマットメモリ８及び現在の日付情報を発生するＲＴＣ（リアルタイムクロック）９が接続される。
【００１６】
ＲＯＭ５には、入力部２から入力された文書情報を印刷するためのプログラム、本発明に係る名前情報に敬称情報を付加して出力処理するプログラム、及びプリンタ部４によって行われる印刷処理のプログラムが記憶されている。また、ＲＡＭ６には、入力された文書情報を記憶する入力データメモリ、文字の印刷パターンデータ（印刷データ）が記憶される印刷データメモリ、表示部３に表示されるパターンデータが記憶される表示データメモリの各領域が確保され、印刷処理などに必要なデータを一時的に記憶するレジスタやカウンタなどが設けられている。
【００１７】
図２は個人情報メモリ７に登録された個人情報の説明図である。図２のように、１個の個人情報は、個人の名前情報、生年月日情報、性別情報、郵便番号情報、住所情報及び電話番号情報などで構成されている。これらの個人情報は、はがきの宛名印刷などを行うときに、直接あるいは間接的に使用されるものである。この登録された個人情報は、登録後に必要に応じて呼び出されて使用される。また、必要に応じて訂正することができるようになっている。また、前記宛名フォーマットメモリ８には、はがき、宛名ラベル等の宛名印刷に関する印刷フォーマット情報が予め記憶されており、この印刷フォーマット情報を使って種々の様式で宛名印刷を行うことができる。
【００１８】
次に、個人情報メモリ７に記憶された個人情報に基づいて行われる、はがきの宛名印刷処理について説明する。図３はその宛名印刷処理のフローチャートを示している。個人情報メモリ７に記憶されている任意の１個又は複数の個人情報を指定してその出力が指示されると、まず、ＲＴＣ９から現在の日時情報が取得される（ステップＳ１）。次に、個人情報メモリ７に記憶されている出力対象のＮ個の個人情報を順に指定するカウンタＣが１にセットされる（ステップＳ２）。次に、個人情報メモリ７から１番目の個人情報の生年月日情報が読み出される（ステップＳ３）。次に、個人情報メモリ７から読み出された生年月日情報とＲＴＣ９から取得された現在の日時情報により１番目の個人情報に係る個人の年齢が算出される（ステップＳ４）。そして、算出された年齢が７歳未満か否か判断される（ステップＳ５）。７歳未満であると判断されると（ステップＳ５のＹＥＳ）、名前情報に付加する敬称情報として「ちゃん」の文字情報が設定される（ステップＳ６）。また、７歳未満ではないと判断されると（ステップＳ５のＮＯ）、次に算出された年齢が１３歳未満か否か判断される（ステップＳ７）。１３歳未満であると判断されると（ステップＳ７のＹＥＳ）、次に、個人情報メモリ７に記憶された当該個人の性別情報が男性か否か判断される（ステップＳ８）。性別情報が男性であると判断されると（ステップＳ８のＹＥＳ）、名前情報に付加される敬称情報として「君」の文字情報が設定される（ステップＳ９）。また、男性ではないと判断されると（ステップＳ８のＮＯ）、名前情報に付加される敬称情報として「さん」の文字情報が設定される（ステップＳ１０）。一方、ステップＳ７において、算出された年齢が１３歳未満ではないと判断されると（ステップＳ７のＮＯ）、名前情報に付加される敬称情報として「様」の文字情報が設定される（ステップＳ１１）。次に、６５歳以上であるか否か判断される（ステップＳ１２）。ステップ６で「ちゃん」の敬称情報が設定され、ステップＳ９で「君」の敬称情報が設定され、ステップＳ１０で「さん」の敬称情報が設定され、ステップＳ１２で６５歳以上ではないと判断された夫々の場合は、次に、普通文字サイズで宛名フォーマットメモリ８に記憶されている宛名印刷のフォーマットにより宛名印刷の印刷データが作成される。この印刷データを作成する場合には、郵便番号、住所及び名前の各情報が個人情報メモリ７から読み出され、印刷フォーマットに従って所定の位置に配置されるとともに、名前情報には年齢あるいは性別に応じて決められた前記敬称情報が付加される（ステップＳ１３）。一方、ステップＳ１２で６５歳以上であると判断されると、前記普通文字サイズより大きなサイズの拡大文字サイズで宛名フォーマットメモリ８に記憶されている宛名印刷のフォーマットにより宛名印刷の印刷データが作成される。（ステップＳ１４）。しかして、作成された印刷データによってプリンタ部４で宛名印刷が行われる（ステップＳ１５）。１枚の宛名印刷が終了すると、カウンタＣが１だけインクリメントされ（ステップＳ１６）、指定された個人情報の出力数Ｎに達したか否か判断され（ステップＳ１７）、指定出力数Ｎに達していなければ、ステップＳ３に戻り、以下、ステップＳ３からステップＳ１６の処理を繰り返して個人情報メモリ７に記憶されている２番目以降の個人情報の宛名印刷を行う。そして、ステップＳ１７で指定出力数Ｎに達したことが判断されると処理を終了する。
【００１９】
図４は図３の印刷出力処理による印刷例を示している。３枚のはがきの宛名印刷例は図２の個人情報メモリ７に記憶されている１番目から３番目までの個人情報の印刷例である。１番目の「鈴木Ａ子」は生年月日が２００２年１月１日であり、ＲＴＣ９から取得される現在の日時情報が２００８年３月１０日であるとすると、図２のステップＳ４の年齢の算出では６歳が算出される。この結果、ステップＳ５で７歳未満であると判断され、ステップＳ６で「ちゃん」の敬称情報が設定されることになり、名前情報に「ちゃん」の敬称情報が付加されて図４のはがき印字例２０ａのような宛名印刷が行われる。
【００２０】
また、２番目の「鈴木Ｂ子」は生年月日が１９９６年２月１日であり、ＲＴＣ９から取得される現在の日時情報が２００８年３月１０日であるとすると、図２のステップＳ４の年齢の算出では１２歳と算出される。したがって、ステップＳ５では７歳未満ではないと判断され、またステップＳ７で１３歳未満であると判断され、更にステップＳ８では個人情報メモリ７に記憶されている性別情報により男性ではないと判断され、この結果、ステップＳ１０で「さん」の敬称情報が設定されることになり、名前情報に「さん」の敬称情報が付加されて図４のはがき印字例２０ｂのような宛名印刷が行われる。
【００２１】
また、３番目の「堀野Ｃ太」は生年月日が１９９８年３月１日であり、ＲＴＣ９から取得される現在の日時情報が２００８年３月１０日であるとすると、図２のステップＳ４の年齢の算出では１０歳と算出される。したがって、ステップＳ５では７歳未満ではないと判断され、またステップＳ７で１３歳未満であると判断され、更にステップＳ８では個人情報メモリ７に記憶されている性別情報により男性であると判断され、この結果、ステップＳ９で「君」の敬称情報が設定されることになり、名前情報に「君」の敬称情報が付加されて図４のはがき印字例２０ｃのような宛名印刷が行われる。
【００２２】
なお、ステップＳ１１では、年齢が１３歳以上の場合に敬称として「様」を使用するものであるが、これには「様」と読みが同じ意味も同じ旧字体の「樣」の漢字も存在する。前者に比べて後者の方がより丁寧な敬称であると云われている。したがって、更に、例えば、ステップＳ７で１３歳未満ではないと判断された場合に、年齢が６５歳以上か否かを判断する処理を行い、年齢が６５歳以上であれば後者の「樣」を使用し、６５歳未満であれば前者の「様」を使用するようにして、高齢者に敬意を表すようにしてもよい。
【００２３】
以上説明したように、本実施の形態の情報出力装置によれば、個人の名前情報及び当該個人の生年月日情報を含む情報を記憶する個人情報メモリ７及び現在の日時情報を取得するためのＲＴＣ９を備え、個人の生年月日情報と、ＲＴＣ９から取得される現在の日時情報に基づいて当該個人の年齢を算出し、算出された年齢に応じて定められた敬称情報を当該個人の名前情報に付加して出力するため、宛名印刷等の場合に、名宛人の年齢に応じた敬称を名前に付加して出力することができる。
【００２４】
また、個人の名前情報、当該個人の生年月日情報及び当該個人の性別情報を含む情報を記憶する個人情報メモリ７及び現在の日時情報を取得するためのＲＴＣ９を備え、個人の生年月日情報と、ＲＴＣ９により取得される現在の日時情報に基づいて当該個人の年齢を算出し、算出された年齢及び性別情報に応じて定められた敬称情報を当該個人の名前情報に付加して出力するため、宛名印刷等の場合に、名宛人の年齢及び性別に応じた敬称を名前に付加して出力することができる。
【図面の簡単な説明】
【００２５】
【図１】本発明の実施形態に係る情報出力装置の電子回路のブロック図。
【図２】その情報出力装置の個人情報メモリの説明図。
【図３】その情報出力装置の印刷処理のフローチャート。
【図４】その情報出力装置の印刷例の説明図。
【符号の説明】
【００２６】
１…制御部  ２…入力部  ３…表示部  ４…プリンタ部  ５…ＲＯＭ
６…ＲＡＭ  ７…個人情報メモリ  ９…ＲＴＣ
【図１】
2009237679.tif 000003
【図２】
2009237679.tif 000004
【図３】
2009237679.tif 000005
【図４】
2009237679.tif 000006